(57)【要約】【課題】内蔵フラッシュの操作性を向上させる。【解決手段】フラッシュケースがダウンしている状態で、操作者によりフラッシュの使用が指定された場合、ダウンの状態にあるフラッシュケースを操作者が手動で強制的にアップさせ始めた場合、オートフラッシュモードにおいて測光スイッチがオンし、シャッターケースがダウンしている場合、フラッシュアップ許可フラグに「１」をセットする（Ｓ２１０）。フラッシュアップ許可フラグが「１」のとき、第１のモータを回転させフラッシュケースをアップさせる（Ｓ２１４）。アップの状態にあるフラッシュケースに何らかの外力が加えられ、ダウンし始めた場合、フラッシュダウン許可フラグに「１」をセットする（Ｓ２１６）。フラッシュダウン許可フラグが「１」のとき、第１のモータを回転させフラッシュケースをダウンさせる（Ｓ２２０）。【選択図】        図３２
2004251994.tif 000002
【特許請求の範囲】
【請求項１】
フラッシュと、
前記フラッシュが内蔵され、カメラボディに回動可能に支持されるフラッシュケースと、
前記フラッシュケースが前記カメラボディに収納されたダウン位置と前記フラッシュケースが前記カメラボディから突出するアップ位置との間で前記フラッシュケースを移動させるケース回動手段と、
前記ダウン位置にある前記フラッシュケースが外力により前記アップ位置へ向かう方向へ持ち上げられると、前記フラッシュケースは前記アップ位置へ移動され、前記アップ位置にある前記フラッシュケースが外力により前記ダウン位置へ向かう方向へ押されると、前記フラッシュケースは前記ダウン位置へ移動され、前記フラッシュケースが前記アップ位置にあるとき、前記カメラボディの電源がオフされると前記フラッシュケースは前記ダウン位置へ回動されるよう、前記ケース回動手段を制御する制御手段とを備えることを特徴とするカメラのフラッシュ制御機構。
【請求項２】
前記フラッシュケースの位置を検知する第１の位置検知手段と、
所定時間毎に前記第１の位置検知手段のカレントの検知結果を記憶する位置記憶手段と、
前記第１の検知手段により検知されるカレントの検知結果と、前記位置記憶手段に既に記憶されている検知結果とを比較する比較手段とを備え、
前記カレントの検知結果と前記記憶されている検知結果が異なるとき、前記制御手段は、前記記憶されている検知結果との反対の位置へ前記フラッシュケースが移動されるよう、前記ケース回動手段を駆動し、
前記電源がオフされ、かつ前記第１の位置検知手段により検知されるカレントの検知結果が前記アップ位置であるとき、前記フラッシュケースが前記ダウン位置へ移動されるよう前記ケース回動手段を駆動することを特徴とする請求項１に記載のカメラのフラッシュ制御機構。
【請求項３】
前記第１の位置検知手段は、
前記フラッシュケースが前記ダウン位置にあるときオフし、前記アップ位置にあるときオンし、前記フラッシュケースが前記アップ位置と前記ダウン位置の中間において所定の角度位置を通過するとき、オン・オフが切り換わるスイッチであることを特徴とする請求項２に記載のカメラのフラッシュ制御機構。
【請求項４】
前記ケース回動手段は、
モータと、
前記モータの回転運動を伝達するギヤ列と、
前記ギヤ列に連結され、一方の平面にカムが形成されたカムギヤと、
前記カムギヤの回転による前記カムの回転に応じて変位するカムフォロワと、
前記カムフォロアの変位を前記フラッシュケースの回転運動に変換する変換手段と、
前記フラッシュケースの位置を検知する第２の位置検知手段と、
前記第２の位置検知手段の検知結果に応じて、前記モータの駆動を制御するモータ制御手段とを有することを特徴とする請求項１に記載のカメラのフラッシュ制御機構。
【請求項５】
前記第２の位置検出手段は、
前記カムギヤの他方の平面上に配設されるブラシと、
前記カムギヤの前記他方の平面に対向するよう配設され、
前記カムギヤの回転に応じた前記フラッシュケースの変位を検知するための検知エリアが形成されるコード板と、
前記ブラシと前記検知エリアとの接触／非接触に連動するスイッチとを有することを特徴とする請求項４に記載のカメラのフラッシュ制御機構。
【請求項６】
前記ケース回動手段は、
前記フラッシュケースに取り付けられて移動し、第１係合部を有する第１連係部材と、
前記第１係合部に係合可能な第２係合部を有する第２連係部材と、
この第２連係部材を前記第１連係部材と係合するように付勢する付勢手段と、
前記第２連係部材と一体に動き、前記第２係合部とは所定距離を保って前記第１連係部材へ向けて延出する腕状の弾性部材と、
前記第２連係部材を回転駆動する駆動手段とを有し、
前記第１係合部は、前記第２係合部または前記弾性部材のいずれか一方と係合することを特徴とする請求項１に記載のカメラのフラッシュ制御機構。
【請求項７】
前記付勢手段は前記フラッシュケースかアップ位置へ向かう第１方向に前記第２連係部材を付勢しており、前記第１係合部は、前記駆動手段により前記第２連携部材が前記第１方向とは反対の第２方向へ駆動された際に前記弾性部材と係合することを特徴とする請求項６に記載のカメラのフラッシュ制御機構。
【発明の詳細な説明】
【０００１】
【発明の属する技術分野】
本発明は、カメラのフラッシュケースのアップダウン制御に関する。
【０００２】
【従来の技術】
従来、カメラのカメラボディの上面にはフラッシュが内蔵されたフラッシュケースが設けられる。例えば、一眼レフカメラのカメラボディにおいては、フラッシュケースは、赤目現象防止のため、使用時は撮影レンズから離れた位置に位置させることが望ましい。このため、カメラボディの上面に対して回転可能に支持される。被写体の輝度が十分で、照明光を照射する必要がない場合、フラッシュケースはカメラボディの上面部に収納されている。被写体の輝度が低く、撮影に適していないとき、フラッシュケースをポップアップさせ、フラッシュを作動させることにより照明光を照射して撮影する。撮影終了後は、フラッシュケースをポップダウンさせ、再びカメラボディの上面部に収納する。
【０００３】
【発明が解決しようとする課題】
このようなフラッシュケースのポップアップ、ポップダウンは、カメラボディの所定位置に設けられる操作ボタンを操作することや、使用者がフラッシュケースを収納位置まで押し下げることにより行われる。ところが、ポップアップ、ポップダウンの度に操作ボタンを操作しなければならず、また、フラッシュの使用位置（アップ位置）と収納位置（ダウン位置）とは比較的距離があるため、フラッシュケースを確実に収納位置にまで戻せなかったりして、操作性が悪いという問題がある。また、フラッシュ撮影をした後、フラッシュケースのポップダウンを忘れると、カメラボディの上面から突出したフラッシュケースが嵩張り、フラッシュケースを破損し易いという問題もある。
【０００４】
本発明は以上の問題を解決するものであり、フラッシュケースの操作性を向上させることを目的としている。
【０００５】
【課題を解決するための手段】
本発明に係る一眼レフカメラのフラッシュ制御機構は、フラッシュと、このフラッシュが内蔵され、カメラボディに回動可能に支持されるフラッシュケースと、フラッシュケースがカメラボディに収納されたダウン位置とフラッシュケースがカメラボディから突出するアップ位置との間でフラッシュケースを回動させるケース回動手段と、ダウン位置にあるフラッシュケースが外力によりアップ位置へ向かう方向へ持ち上げられると、フラッシュケースはアップ位置へ移動され、アップ位置にあるフラッシュケースが外力によりダウン位置へ向かう方向へ押されると、フラッシュケースはダウン位置へ移動され、フラッシュケースがアップ位置にあるとき、カメラボディの電源がオフされるとフラッシュケースはダウン位置へ移動されるよう、ケース回動手段を制御する制御手段とを備えることを特徴とする。
【０００６】
好ましくは、フラッシュ制御機構は、フラッシュケースの位置を検知する第１の位置検知手段と、所定時間毎に第１の位置検知手段のカレントの検知結果を記憶する位置記憶手段と、第１の検知手段により検知されるカレントの検知結果と、位置記憶手段に既に記憶されている検知結果とを比較する比較手段とを備え、カレントの検知結果と記憶されている検知結果が異なるとき、制御手段は、記憶されている検知結果との反対の位置へフラッシュケースが移動されるよう、ケース回動手段を駆動し、電源がオフされ、かつ第１の位置検知手段により検知されるカレントの検知結果がアップ位置であるとき、フラッシュケースがダウン位置へ移動されるようケース回動手段を駆動する。
【０００７】
第１の位置検知手段は、例えば、フラッシュケースがダウン位置にあるときオフし、アップ位置にあるときオンし、フラッシュケースがアップ位置とダウン位置の中間において所定の角度位置を通過するとき、オン・オフが切り換わるスイッチである。
【０００８】
好ましくは、ケース回動手段は、モータと、モータの回転運動を伝達するギヤ列と、ギヤ列に連結され、一方の平面にカムが形成されたカムギヤと、カムギヤの回転によるカムの回転に応じて変位するカムフォロワと、カムフォロアの変位をフラッシュケースの回転運動に変換する変換手段と、フラッシュケースの位置を検知する第２の位置検知手段と、第２の位置検知手段の検知結果に応じて、モータの駆動を制御するモータ制御手段とを有する。
【０００９】
第２の位置検出手段は、例えば、カムギヤの他方の平面上に配設されるブラシと、カムギヤの他方の面に対向するよう配設され、カムギヤの回転に応じたフラッシュケースの変位を検知するための検知エリアが形成されるコード板と、ブラシと検知エリアとの接触／非接触に連動するスイッチとを有する。
【００１０】
好ましくは、ケース回動手段は、フラッシュケースに取り付けられて移動し、第１係合部を有する第１連係部材と、第１係合部に係合可能な第２係合部を有する第２連係部材と、この第２連係部材を前記第１連係部材と係合するように付勢する付勢手段と、第２連係部材と一体に動き、第２係合部とは所定距離を保って第１連係部材へ向けて延出する腕状の弾性部材と、第２連係部材を回転駆動する駆動手段とを有し、第１係合部は、第２係合部または弾性部材のいずれか一方と係合する。
【００１１】
より好ましくは、付勢手段はフラッシュケースかアップ位置へ向かう第１方向に第２連係部材を付勢しており、第１係合部は、駆動手段により第２連携部材が第１方向とは反対の第２方向へ駆動された際に弾性部材と係合する。
【００１２】
以上のように本発明によれば、フラッシュケースがアップ位置にあるとき、カメラボディの電源がオフされる、フラッシュケースはダウン位置へ回動される。従って、操作者がフラッシュケースをダウンさせるための操作部材を操作する必要がなく、操作性が向上する。
【００１３】
ダウン位置にあるフラッシュケースを、例えば操作者が操作部材を使わず、直接持ち上げようとすると、フラッシュケースは制御手段によりアップ位置へ移動される。また、アップ位置にあるフラッシュケースを、操作者が操作部材を使わず直接押すと、フラッシュケースは制御手段によりダウン位置へ移動される。従って、操作性が向上する。
【００１４】
さらに、電源がオフされたとき、アップ位置のフラッシュケースに外力を加えたとき、フラッシュケースは制御手段によりダウン位置に移動されるため、フラッシュケースがアップ位置にあるまま、持ち運び等されることはない。従って、カメラボディの各部材の破損が防止される。
【００１５】
【発明の実施の形態】
以下、本発明の実施の形態を、図面を参照して説明する。
図１は、本発明に係る実施形態が適用される一眼レフカメラのカメラボディ１の外観を正面から示し、図２は、カメラボディ１の外観を図１の右側から示す側面図である。カメラボディ１の上面に配設される上飾板Ｐにおいて、図１の左方端部にシャッターボタン２が設けられ、右方端部に各種モードの設定を行う設定ダイヤル３が設けられる。上飾板Ｐの中央にはフラッシュケース４が配設される。フラッシュ（図示せず）はフラッシュケース４のカメラボディ１の前面側の端部に内蔵される。フラッシュケース４は、カメラボディ１の背面側の端部に設けられる軸回りに回動可能に支持される。フラッシュを使用しないとき、フラッシュケース４は図１及び図２に示す収納位置に位置決めされる。フラッシュを使用するとき、フラッシュケース４は上述の軸回りに回動させられ、フラッシュが内蔵された側の端部が上方に移動し、撮影位置に位置決めされる。カメラボディ１の中央にはレンズマウント５が設けられる。カメラボディ１の内部には、レンズマウント５にマウントされるレンズ鏡筒の光軸上にクイックリターンミラー６が配設される。
【００１６】
図３はカメラボディ１の内部構成を示す正面図、図４は同内部構成の平面図、図５は同内部構成の底面図、図６は同内部構成を図３の右側から示す側面図である。スプール１０の近傍には第１のモータ１１が配設される。第１のモータ１１の回転運動は、第１の減速機構Ｄ１を介して、フラッシュのアップダウン機構またはスプール１０に選択的に伝達される。具体的には、第１のモータ１１の回転運動は、フリクションギヤ１０９、連結ギヤ１１０、スプールギヤ１１１を介してスプール１０に伝達されるか、またはカムギヤ１２０を介してフラッシュのアップダウン機構、すなわちフラッシュケース４の駆動機構に伝達される。第１のモータ１１の回転運動のスプール１０への伝達、アップダウン機構への伝達の切換えは第１の切換手段１４により行われる。パトローネ室２０の底面近傍には第２のモータ２１が配設される。第２のモータ２１の回転運動は、第２の伝達機構Ｄ２を介して、パトローネ室２０の巻き戻しフォーク２２へ伝達されるか、またはクイックリターンミラー６、絞り（図示せず）、及びシャッター（図示せず）の駆動手段に伝達される。第２のモータ２１の回転運動の巻き戻しフォーク２２への伝達と、クイックリターンミラー６等の駆動手段への伝達の切り換えは第２の伝達機構Ｄ２における第２の切換手段２３により行われる。第１のモータ１１及び第２のモータ２１の回転の開始、停止、及び回転方向は、コントローラＣＲにより制御される。
【００１７】
図７及び図８は、第１の減速機構Ｄ１の構成を示す平面図である。第１の減速機構Ｄ１において、ピニオンギヤ１０１は第１のモータ１１の出力軸に固定されている。減速ギヤ列１０２は第１及び第２の減速ギヤ１０３、１０４で構成される。減速ギヤ１０３は小径の歯車１０３ａと大径の歯車１０３ｂが同軸的かつ一体的に形成されている。同様に、減速ギヤ１０４は小径の歯車１０４ａと大径の歯車１０４ｂが同軸的かつ一体的に形成されている。ピニオンギヤ１０１は減速ギヤ１０３の大径の歯車１０３ｂに噛合し、減速ギヤ１０３の小径の歯車１０３ａは減速ギヤ１０４の大径の歯車１０４ｂに噛合している。
【００１８】
太陽ギヤ１０５は、小径の歯車１０５ａと大径の歯車１０５ｂが同軸的かつ一体的に形成されている。大径の歯車１０５ｂには、減速ギヤ１０４の小径の歯車１０４ａが噛合している。すなわち、第１のモータ１１の回転運動は、ピニオンギヤ１０１及び減速ギヤ列１０２を介して所定の減速比で減速されて太陽ギヤ１０５に伝達される。
【００１９】
回転板１０６は太陽ギヤ１０５の回転軸に回転可能に軸支されている。遊星ギヤ１０７は回転板１０６の端部に回転可能に設けられ、太陽ギヤ１０５の小径の歯車１０５ａに噛合している。これら回転板１０６及び遊星ギア１０７は、第１の切換手段１４を構成している。
【００２０】
第１のモータ１１が逆転（図７中、反時計回りの回転）すると、その回転運動はピニオンギヤ１０１及び減速ギヤ列１０２を介して太陽ギヤ１０５へ伝達され、太陽ギヤ１０５は時計回りに回転する。図７に示すように、太陽ギヤ１０５の時計回りの回転に従って、回転板１０６は太陽ギヤ１０５の中心軸を中心として時計回りに回転する。その結果、遊星ギヤ１０７はフリクションギヤ１０９に噛合する。
【００２１】
フリクションギヤ１０９は、連結ギヤ１１０に噛合している。連結ギヤ１１０は、スプール１０と回転中心軸と同軸的に設けられるスプールギヤ１１１（図３及び図６参照）に噛合している。従って、第１のモータ１１が逆転を続けると、その回転運動はピニオンギヤ１０１、減速ギヤ列１０２、太陽ギヤ１０５、遊星ギヤ１０７、フリクションギヤ１０９、連結ギヤ１１０、及びスプールギヤ１１１を介してスプール１０に伝達される。その結果、フィルムが巻き上げられる。
【００２２】
第１のモータ１１が正転（図８中、時計回りの回転）すると、その回転運動はピニオンギヤ１０１及び減速ギヤ列１０２を介して太陽ギヤ１０５へ伝達され、太陽ギヤ１０５は反時計回りに回転する。図８に示すように、太陽ギヤ１０５の反時計回りの回転に従って、回転板１０６は太陽ギヤ１０５の中心軸を中心として反時計回りに回転する。その結果、遊星ギヤ１０７はカムギヤ１２０に噛合する。
【００２３】
図９は、カムギヤ１２０と回転レバー２０１を示す平面図、図１０は、回転レバー２０１、回転アーム２１０、押えバネ２２０を示す平面図、図１１は、同斜視図である。回転レバー２０１、回転アーム２１０、押えバネ２２０は、フラッシュケース４のアップダウン機構を構成する部材である。尚、図９において、カムギヤ１２０の位置する側がカメラボディ１の前面側である。
【００２４】
回転レバー２０１の基部２０２において、第１の減速機構Ｄ１側に対向する面には、略円柱状の回転軸２０３が突設される。回転レバー２０１は回転軸２０３を中心に回転可能に支持される。回転軸２０３は大径部２０３ａと小径部２０３ｂを有する。小径部２０３ｂの外周面にはポップアップバネ２０４が巻き回されている。図９に示すように、ポップアップバネ２０４の一方の端部は、カメラボディ１の内壁面に固定的に形成された固定柱２０５に当接しており、他方の端部は、基部２０２に形成された孔２０２ａを挿通している。ポップアップバネ２０４は、常時、回転レバー２０１を図９、１０中、反時計回りに、すなわちカメラボディ１の背面から前面に向かう方向へ付勢している。基部２０２には、回転軸２０３と同様に円柱状のカムフォロア２０６が固定的に突設されている。回転レバー２０１の係合部２０７には、回転アーム２１０が係合するアーム係合片２０７ａと、押えバネ２２０が係合するバネ係合片２０７ｂが形成されている。また、回転レバー２０１の基部２０２においてカムフォロア２０６の近傍には、第１の切換手段１４側に突出する円柱状の支持柱２０９が配設される。
【００２５】
図１０及び図１１に示されるように、回転アーム２１０の一方の端部には回転レバー２０１のアーム係合片２０７ａ、及び押えバネ２２０の一方の端部が係合する係合片２１１が形成されている。また、図１１に示されるように、回転アーム２１０の他方の端部には、後述するフラッシュケース４の部材が嵌合する嵌合穴２１２が形成されている。
【００２６】
線状部材である押えバネ２２０の他方の端部は、回転レバー２０１の基部２０２の支持柱２０９に巻き回され、基部２０２に形成された係止片２０２ｂに当接して係止されている。支持柱２０９に巻き回された端部から続く直線部は所定の角度で曲折され、アーム係合片２０７ｂに係合し、さらに曲折され、支持柱２０９の他方の端部は回転アーム２１０の係合片２１１に係合可能な位置まで伸びている。図１１に示されるように、回転アーム２１０の係合片２１１は、押えバネ２２０と回転レバー２０１のアーム係合片２０７ａに挟まれている。
【００２７】
図９に示すように、カムギヤ１２０において回転レバー２０１に対向する側の平面上には、カム１２１が設けられている。カム１２１は所定の高さを有する壁状部材であり、直線部及びそれぞれ曲率中心の異なる複数の凸曲線部、凹曲線部から成る。カムギヤ１２０の回転に応じてカム１２１が変位すると、カムフォロア２０６はカム１２１の外形に沿って変位し、その結果、回転レバー２０１は回転軸２０３を中心に回転する。
【００２８】
図１２は、回転アーム２１０とフラッシュケース４を示す側面図である。フラッシュケース４は頭部４ａと一対の脚部４ｂを有し、頭部４ａと一対の脚部４ｂは一体的に形成される。頭部４ａにはフラッシュ発光部３００が配設される。フラッシュケース４は、頭部４ａがカメラボディ１の前面側に位置し、一対の脚部４ｂがカメラボディ１の背面側に位置するよう配置される。一対の脚部４ｂのうちの一方はケース軸３０１が固定されている。ケース軸３０１は、回転アーム２１０の嵌合穴２１２（図１１参照）にかしめられ固定されている。従って、回転アーム２１０の回転と共にフラッシュケース４も回転する。
【００２９】
上述のように、第１のモータ１１が正転すると遊星ギヤ１０７がカムギヤ１２０に噛合する（図８参照）。この状態で第１のモータ１１が正転を続けると、第１のモータ１１の回転運動がカムギヤ１２０に伝達され、カムギヤ１２０は、図８中、反時計回りに回転し続ける。カムギヤ１２０の回転に応じて、カム１２１、カムフォロア２０６（図９参照）を介して回転レバー２０１が回転軸２０３を中心に回転する。
【００３０】
ここで、フラッシュケース４のアップダウン動作について説明する。図９〜図１１は、フラッシュケース４のダウン時、すなわちフラッシュ４がカメラボディ１の上面部に収納されているときの回転レバー２０１、回転アーム２１０、押えバネ２２０の位置関係を示す。カムフォロア２０６がカム１２１の領域１２１ａの範囲内にあるとき、カムフォロア２０６はカムギヤ１２０の中心軸から最も離れた位置に位置する。換言すれば、カムフォロア２０６はカメラボディ１の背面側に位置づけられている。この状態において、回転レバー２０１はポップアップバネ２０４の付勢力に抗してカメラボディ１の背面側に位置しており、それに応じて押えばね２２０が回転アーム２１０の係合片２１１に係合し、回転アーム２１０はカメラボディ１の背面側に位置づけられている。その結果、図１３に示すように、フラッシュケース４はダウン位置に位置づけられる。
【００３１】
上述のように、回転レバー２０１は、ポップアップバネ２０４により、常時カメラボディ１の背面から前面に向かう方向（フラッシュケース４がアップ位置へ向かう方向）へ付勢されていて、カムフォロア２０６は、カム１２１のカム面に常時付勢されて当接している。従って、図９に示す状態からカムギヤ１２０が反時計回りに回転を続けると、カムフォロア２０６がカム１２１に沿って変位しながら、回転レバー２０１はカメラボディ１の背面側から前面側に徐々に変位していく。それに応じて、回転レバー２０１の係合片２０７ａが回転アーム２１０の係合片２１１に係合し、回転アーム２１０は、係合片２１１がカメラボディ１の背面側から前面側に変位するよう回転させられる。上述のように、フラッシュケース４は、回転アーム２１０と一体的に回転に回転する。従って、フラッシュケース４は頭部４ａが次第に上昇し始め、カムフォロア２０６が図１４に示す位置まで変位すると、フラッシュケース４は図１３に示すようにアップ位置に位置づけられる。なお、アップ位置において、フラッシュケース４に何らかの外力が加えられて、フラッシュケース４がダウン位置へ動いた場合、回転アーム２１０は、回転レバー２０１をポップアップバネ２０４の付勢力に抗する方向、すなわちカムフォロア２０６をカム１２１のカム面から離す方向に回転させるだけなので、カム１２１には何ら影響がない。
【００３２】
図１４に示す状態から、第１のモータ１１が正転を続け、カムギヤ１２０がさらに反時計方向に回転すると、図１５に示す状態を経て、カムフォロア２０６は、ポップアップバネ２０４の付勢力に抗しつつカム１２１に沿いながら変位し、回転レバー２０１全体がカメラボディ１の前面側から背面側に徐々に変位していく。それに応じて、係合片２０７ａに替わって、押えバネ２２０が回転アーム２１０の係合片２１１に係合し、押えバネ２２０を介して、回転アーム２１０は係合片２１１がカメラボディ１の前面側から背面側に変位するよう回転させられる。その結果、図１３に示すように、フラッシュケース４はダウン位置に位置づけられる。このとき、回転アーム２１０は、押えばね２２０により常時付勢されていているので、機械的に停止される位置まで移動させられる。このため、フラッシュケース４はカメラボディ外装面から浮いた状態で止まったりせずに、常時、所望のダウン位置へ正確に位置させることができる。また、操作者が手でフラッシュケース４をアップ位置へ持ち上げようとしたような場合、回転レバー２１０の回転力は押えばね２２０が弾性変形して吸収するので、回転レバー２０１やカムギヤ１２０の変形や損傷が防止できる。
【００３３】
図１６〜図１８は、回転アーム２１０と、フラッシュアップ検知スイッチ２３０とを示す。これらの図において、回転アーム２１０は図１２及び図１３に示された状態の裏面方向から示される。フラッシュアップ検知スイッチ２３０は、カメラボディ１の上面部の内壁において、回転アーム２１０の押圧部２１３の近傍に配設される。フラッシュアップ検知スイッチ２３０にはプッシュボタン２３１が設けられる。フラッシュアップ検知スイッチ２３０は、プッシュボタン２３１が押圧部２１３に押されていないときオフとなる。回転アーム２１０が所定の角度以上回転し、プッシュボタン２３１が押圧部２１３に押されるとオンとなる。
【００３４】
フラッシュケース４が図１３のダウン位置にあるとき、図１６に示すようにプッシュボタン２３１は回転アーム２１０の押圧部２１３には押されず、フラッシュアップ検知スイッチ２３０はオフである。フラッシュケース４が図１３のダウン位置とアップ位置の中間にあるとき、図１７に示すようにプッシュボタン２３１は回転アーム２１０の押圧部２１３に押され、フラッシュアップ検知スイッチ２３０はオンとなる。フラッシュケース４が図１３のアップ位置にあるとき、図１８に示すようにプッシュボタン２３１は回転アーム２１０の押圧部２１３に完全に押され、フラッシュアップ検知スイッチ２３０はオンである。すなわち、回転アーム２１０が図１６に示す位置から図１７に示す位置までの範囲にあるとき、フラッシュアップ検知スイッチ２３０はオフであり、回転アーム２１０が図１７に示す位置から図１８に示す位置までの範囲にあるとき、フラッシュアップ検知スイッチ２３０はオンである。
【００３５】
換言すれば、フラッシュケース４が完全にダウン位置にあるとき、フラッシュアップ検知スイッチ２３０はオフであり、フラッシュケース４が完全にアップ位置にあるとき、フラッシュアップ検知スイッチ２３０はオンである。そして、フラッシュケース４がダウン位置からアップ位置へ移動する際、回転アーム２１０が所定の角度以上回転してアップ位置近傍の所定位置に達すると、フラッシュアップ検知スイッチ２３０はオンに切り換わり、フラッシュケース４がアップ位置からダウン位置へ移動する際、回転アーム２１０の回転角度が所定の角度以上回転して、アップ位置近傍の所定位置よりもダウン位置側へ移動すると、フラッシュアップ検知スイッチ２３０はオンからオフに切り換わる。従って、フラッシュアップ検知スイッチ２３０のオン・オフをモニタすることにより、フラッシュケース４の回転状況を確認することができる。
【００３６】
図１９に示すように、カムギヤ１２０において、カム１２１が設けられる平面と反対側には、金属から成るブラシ１２３が設けられる。尚、図１９中、ブラシ１２３はカム１２１との相対的位置関係が明確となるよう、透視的に描かれている。また、ブラシ１２３が設けられる面と対向する位置には、図２０に示すコード板１２４が固定的に配設される。コード板１２４には、フラッシュアップＳＷ１２５と連結されるアップ部１２４ａ、フラッシュダウンＳＷ１２６と連結されるダウン部１２４ｂ、グランド１２７と連結されるグランド部１２４ｃが形成される。アップ部１２４ａ、ダウン部１２４ｂ、グランド部１２４ｃが、カムギヤ１２０の回転に応じてブラシ１２３と接触すると、それぞれが連結されているＳＷがオンし、非接触となると、連結されているＳＷはオフする。
【００３７】
すなわち、ブラシ１２３が領域ＤＮにあるとき、フラッシュアップＳＷはオフ、フラッシュダウンＳＷ１２６はオンとなる。ブラシ１２３が領域ＤＵにあるとき、フラッシュアップＳＷ１２５及びフラッシュダウンＳＷ１２６は、共にオンとなる。ブラシ１２３が領域ＵＰにあるとき、フラッシュアップＳＷ１２５はオン、フラッシュダウンＳＷはオフとなる。ブラシ１２３が領域ＵＤにあるとき、フラッシュアップＳＷ１２５及びフラッシュダウンＳＷ１２６は、共にオフとなる。
【００３８】
上述のように、カムギヤ１２０の回転に応じて、フラッシュケース４はアップ・ダウンする。従って、コード板１２４のアップ部１２４ａは、カムギヤ１２０の回転中、フラッシュケース４がダウン位置からアップ位置へ移行するとき、及びアップ位置にあるとき、ブラシ１２３と接触するよう形成される。コード板１２４のダウン部１２４ｂは、カムギヤ１２０の回転中、フラッシュケース４がアップ位置からダウン位置へ移行するとき、及びダウン位置にあるとき、ブラシ１２３と接触するよう形成される。
【００３９】
尚、ブラシ１２３がコード板１２４の領域ＯＣにあるとき、回転アーム２１０は押しバネ２２０によりオーバーチャージされた状態にある。すなわち、このオーバーチャージ状態下では、押しバネ２２０による弾性力が回転アーム２１０に加わっていて、フラッシュケース４をダウン位置に正しく位置させている。
【００４０】
図２１は第２の減速機構Ｄ２を正面から拡大して示す図、図２２は図２１のうち一部の部材を省略して示す図、図２３は第２の減速機構Ｄ２の斜視図、図２４は第２の減速機構Ｄ２を図１６の左側から示す側面図である。ピニオンギヤ４０１は第２のモータ２１（図２３参照）の回転軸に固定される。減速ギヤ４０２はピニオンギヤ４０１に噛合し、太陽ギヤ４０３（図２２参照）は減速ギヤ４０２に噛合している。すなわち、第２のモータ２１の回転運動は、ピニオンギヤ４０１及び減速ギヤ４０２を介して所定の減速比で減速され、太陽ギヤ４０３に伝達される。また、太陽ギア４０３の回転は遊星ギア４０４を有する第２の切換手段２３へ伝達される。
【００４１】
図２３に示されるように、遊星ギヤ４０４の平歯車部４０４ａは太陽ギヤ４０３に噛合している（図２２参照）。また、遊星ギヤ４０４は太陽ギヤ４０３の軸心を中心として回転可能に支持されている。従って、太陽ギヤ４０３の回転に応じて、遊星ギヤ４０４は太陽ギヤ４０３の軸心を中心として図２１及び図２２中の時計回り若しくは反時計回りに変位する。
【００４２】
遊星ギヤ４０４の平歯車部４０４ａの前方に、略Ｌ字型を呈する薄板状の案内板４０５が配設される。案内板４０５には、円弧状の切り欠き４０５ｃが形成されている。遊星ギヤ４０４は、中心軸４０４ｃの端部が切り欠き部４０５ｃ内に位置するよう配設される。尚、図２２においては、上述のギヤ列の構成を明示するため案内板４０５は省略されている。
【００４３】
案内板４０５において切り欠き部４０５ｃの近傍には、レバー４０６が設けられる。レバー４０６は、案内板４０５と平行なストッパ部４０７と案内板４０５に直交する被駆動部４０８（図２３、２４参照）を有しており、ストッパ部４０７と被駆動部４０８は一体的に形成されている。ストッパ部４０７は、案内板４０５の上述のギヤ列が位置する面と反対側の面に対向するよう位置づけられ、被駆動部４０８は、案内板４０５に形成された穴４０５ｄから上述のギヤ列が配設される側へ延出している。レバー４０６は、案内板４０５に設けられた支持軸４０９を中心として回転可能に支持軸４０９に支持されている。
【００４４】
支持軸４０９の外周面にはコイルバネ４１０が巻き回されている。コイルバネ４１０の一方の端部は案内板４０５の穴４０５ｄに係合し、他方の端部は、レバー４０６のストッパ部４０７に設けられた突片に係合しており、レバー４０６を常時、図２１中の時計回りの方向へ付勢している。
【００４５】
案内板４０５の腕部４０５ｂにおいて、上述のギヤ列が配設された側には、ソレノイド４１１が配設され、その軸心にはプランジャ４１２が配設される。プランジャ４１２の端部４１２ａはプランジャ４１２の他の部分よりも大径に形成され、円周方向に沿って溝部４１２ｂが形成されている。図２４に示されるように、溝部４１２ｂ内にはレバー４０６の被駆動部４０８の端部が位置している。
【００４６】
ソレノイド４１１への通電の開始及び停止、第２のモータ２１の回転の開始、停止、及び回転方向は、コントローラＣＲにより制御される。
【００４７】
コントローラＣＲの制御に基づき、ソレノイド４１１が通電されると、プランジャ４１２は図２４中、上方向に変位させられ、それに伴いプランジャ４１２の溝部４１２ｂ内に位置するレバー４０６の被駆動部４０８が上方向に駆動される。その結果、レバー４０６は、コイルスプリング４１０の付勢力に抗して、支持軸４０９を中心として図２２中、反時計方向に回転させられる。これにより、遊星ギヤ４０４の中心軸４０４ｃとストッパ片４０７ｄの係合状態は解除され、遊星ギヤ４０４は案内板４０５の切り欠き部４０５ｃに沿って移動可能となる。この状態で第２のモータ２１が逆転させられるとピニオンギヤ４０１は図２２中、反時計方向に回転し、その回転運動は減速ギヤ４０２を介して太陽ギヤ４０３に伝達され、太陽ギヤ４０３は反時計方向に回転する。その結果、太陽ギヤ４０３に噛合する平歯車部４０４ａを介して遊星ギヤ４０４はパトローネ室２０の近傍へ移動し、位置決めされる。
【００４８】
コントローラＣＲの制御に基づきソレノイド４１１が非通電となると、プランジャ４１２は元の位置に復帰する。プランジャ４１２の移動に伴い、レバー４０６は支持軸４０９を中心として時計回りに回転し、レバー４０６のストッパ片４０７ｃと遊星ギヤ４０４の中心軸４０４ｃが係合し、遊星ギヤ４０４は示される位置に固定される。
【００４９】
また、コントローラＣＲの制御に基づきソレノイド４１１が通電されると、プランジャ４１２の変位に伴いレバー４０６は支持軸４０９を中心として反時計回りに回転し、ストッパ片４０７ｃと遊星ギヤ４０４の中心軸４０４ｃとの係合が解除される。この状態で、コントローラＣＲの制御に基づき第２のモータ２１が正転させられ、ピニオンギヤ４０１が時計方向に回転させられると、その回転運動は減速ギヤ４０２を介して太陽ギヤ４０３に伝達され、太陽ギヤ４０３は時計方向に回転する。その結果、太陽ギヤ４０３に噛合する平歯車部４０４ａを介して遊星ギヤ４０４はレンズマウント５の近傍へ移動し、位置決めされる。この状態で、ソレノイド４１１が非通電となると、プランジャ４１２は元の位置に復帰する。プランジャ４１２の移動に伴い、レバー４０６は支持軸４０９を中心として時計回りに回転し、図２２に示すように、レバー４０６のストッパ片４０７ｄと遊星ギヤ４０４の中心軸４０４ｃが係合する。その結果、遊星ギヤ４０４は図２２で示される位置に固定される。
【００５０】
レバー４０６において中心軸４０９の近傍には、係止穴４０６ａが形成されている。係止穴４０６ａには、案内板４０５に一体的に形成された突状のストッパ４１３が挿通している。ストッパ４１３と係止穴４０６ａとの係合により、ソレノイド４１１の通電状態において、第２のモータ２１の回転運動により回転するレバー４０６が必要以上に変位することが防止される。
【００５１】
遊星ギヤ４０４がパトローネ室２０の近傍に位置決めされると、遊星ギヤ４０４のウォーム部４０４ｂは、巻戻しフォークギヤ４２２に回転を伝達するギヤ列（図示せず）に連結される。遊星ギヤ４０４がレンズマウント５の近傍に位置決めされると、遊星ギヤ４０４の平歯車部４０４ａは、シャッター駆動機構、クイックリターンミラー駆動機構、絞り駆動機構に回転を伝達するギヤ列（図示せず）に接続される。
【００５２】
ＡＦ駆動機構３０は、カメラボディ１の底面においてマウント５の近傍に配設される。換言すれば、図３によく示されるように、ＡＦ駆動機構３０は、マウント５の円弧状の周縁部の一部と、マウント５の周縁部においてカメラボディ１の底面に最も近い点の接線Ｌとで形成されるスペースに配設される。
【００５３】
図２５及び２６はＡＦ駆動機構３０の斜視図である。保持筐体３２はＡＦモータ３１と、ＡＦモータ３１の回転をマウント５に装着されるレンズ鏡筒へ伝達するための伝達ユニット３３と、ＡＦセンサユニット３４を保持する。
【００５４】
図２７はＡＦ駆動機構３０の平面図である。ＡＦモータ３１の回転軸３１ａにはウォームギヤ（図示せず）が固定されている。伝達ユニット３３は、第１の支持筒３３１と第２の支持筒３３４とを有する。第１の支持筒３３１は、円柱状を呈し、その外周面にウォームギヤに噛合するホイールギヤが形成されたギヤ部３３１ａと、略円筒状を呈し、有底で中空の受部３３１ｂとを有する。
【００５５】
ＡＦカプラー３３２は、その先端にジョイント部３３３が形成される。ＡＦカプラー３３２は、レンズマウント５を挿通し、ジョイント部３３３が露出するよう配設される。第２の支持筒３３４は、第１の支持筒３３１の受部３３１ｃ内に配設される被支持部（図示せず）と、ＡＦカプラー３３２を支持する受部３３４ｂを有する。被支持部と受部３３４ｂとの連結部分には、ギヤ３３４ｃが嵌合している。
【００５６】
ＡＦカプラー３３２において受部３３４ｂに支持される部分の外周面にはコイルスプリング３３５が巻き回される。従って、ＡＦカプラー３３２は、コイルスプリング３３５により常時、ジョイント部３３３が第２の支持筒３３４から離れる方向へ付勢される。
【００５７】
ＡＦモータ３１の回転は、ウォームギヤ３３１ａ、ホイールギヤ、第１の支持筒３３１、及び第２の支持筒３３４を介してＡＦカプラー３３２に伝達され、ジョイント部３３３が回転する。また、ＡＦモータ３１の回転量は、ＡＦセンサユニット３４のフォトインタラプタにより検知される。
【００５８】
図２８は、一眼レフカメラのブロック図である。
ＣＰＵ５００は、一眼レフカメラを全体的に制御するＩＣであり、周辺回路の制御、割り込み処理の必要のあるスイッチ処理等を行う。ＤＰＵ５０１はＣＰＵ５００と同規模のＩＣであり、周辺回路の制御、電源の制御、割り込み処理の必要のないスイッチ処理等を行う。ＣＰＵ５００及びＤＰＵ５０１はカメラボディ１に設けられる。ＣＰＵ５００はＤＰＵ５０１及び交換レンズのＩＣとの間で各種情報の通信を行う
【００５９】
ＥＥＰＲＯＭ５０２には、自動露出、ＡＦ（オートフォーカス）の調整データ等の各種データが格納される。ＣＰＵ５００は後述する各種制御において、ＥＥＰＲＯＭ５０２に対してデータの読み込み及び書き込みを行う。
【００６０】
ＣＰＵ５００にはシャッタ５０３が接続されており、タイミングスイッチのオン・オフを示す信号が入力される。タイミングスイッチはシャッタの走行が終了するとオンとなる。タイミングスイッチのオン・オフに基づいて、ＣＰＵ５００はシャッタ５０３に先幕、後幕の走行を制御する信号を出力する。
【００６１】
ＣＰＵ５００にはファインダ視野内やカメラボディの背面に設けられたＬＣＤ５０４、及び各ＬＣＤ５０４の照明用のＬＥＤ５０５が接続されている。ＣＰＵ５００から出力される制御信号に基づいて、ＬＥＤ５０５の点灯・消灯、及びＬＣＤ５０４に表示される文字列等の制御が行われる。
【００６２】
カメラボディ１の上面に設けられたシャッターボタン２（図１参照）が半押しされると測光処理開始を示す信号がＣＰＵ５００に入力され、シャッターボタン２が全押しされるとレリーズ処理開始を示す信号が入力される。カメラボディ１の外面に設けられた電子プレビューボタン５０６が操作されると、電子プレビュー開始を示す信号がＣＰＵ５００に入力される。電子プレビューとは、レリーズ処理を行うことなく、カメラボディ１で設定された絞り値で絞りを駆動する処理である。電子プレビューが行われると、操作者は設定された絞り値に応じた実際の被写界深度をファインダで確認することができる。
【００６３】
モータドライバ５０７は、第１の切換手段１４の第１のモータ１１、及び第２の切換手段２３のソレノイド４１１の駆動を制御するＩＣである。モータドライバ５０７は、フィルムを巻き上げるときは、第１のモータ１１を逆転させる制御信号を出力し、フラッシュケース４のアップ・ダウンを行うときは、第１のモータ１１を正転させる制御信号を出力する。また、モータドライバ５０７は、第２の切換手段２３による切換え処理に応じて、適宜、ソレノイド４１１の通電、非通電を制御する。
【００６４】
フィルム給送フォトリフレクタ５０８は、フィルムのパーフォレーションが通過する位置に設けられ、通過するパーフォレーションの数を検知することによりフィルムの給送状態を確認する。検知結果はＣＰＵ５００へ出力され、フィルム巻き上げにおいて１コマ分巻き上げる制御が行われる。
【００６５】
マウント５に装着されるレンズ鏡筒に配設されるレンズＩＣ５０９への電力はＤＰＵ５０１から供給される。ＣＰＵ５００とレンズＩＣ５０９との間で各種情報の通信が行われる。
【００６６】
絞り制御回路５１０はＤＰＵ５０１に接続されている。絞りを駆動するレバーに連動して回転するエンコーダから出力されるパルスが絞り制御回路５１０を介してＤＰＵ５０１に入力される。ＤＰＵ５０１では、入力されるパルス信号に基づいて既に駆動された絞りの駆動量を演算し、その演算結果に応じて絞り駆動の制御信号を絞り制御回路５１０へ出力する。
【００６７】
１６分割測光ＩＣ５１１はＣＰＵ５００に接続されている。ＣＰＵ５００から１６分割測光ＩＣ５１１へ、１６個ある分割センサのうち、測光値を取得するセンサを示す信号が出力される。１６分割測光ＩＣ５１１からＣＰＵ５００へ、選択されたセンサから出力される電圧値が入力される。ＣＰＵ５００では、入力される電圧値に基づいて分割測光の演算処理を実行する。
【００６８】
ＡＦＩＣ５１２はＡＦユニット３０に設けられたＣＣＤラインセンサを制御するＩＣであり、電源はＤＰＵ５０１から供給される。ＣＣＤラインセンサから出力されるビデオ信号に基づいて、ＣＰＵ５００は撮影レンズの合焦状態を検知する。
【００６９】
モータドライバ５１３は、第２のモータ２１及びＡＦモータ３１の駆動制御を行うためのＩＣである。ＣＰＵ５００からモータドライバ５１３へ、第２のモータ２１を駆動する制御信号、若しくはＡＦモータ３１を駆動する制御信号が出力される。ＡＦモータ３１を駆動する制御信号が入力されたら、モータドライバ５１３はＡＦモータ３１へ制御信号を出力する。その結果、ＡＦモータ３１が駆動され、カメラボディ１に装着されるレンズ鏡筒内のフォーカスレンズが駆動される。フォーカスレンズの移動量はＡＦ制御フォトインタラプタ３４により検知され、その検知結果であるパルス信号がＣＰＵ５００へ出力される。ＣＰＵ５００では、ＡＦセンサユニット３４のフォトインタラプタから入力されるパルス信号に基づいてフォーカスレンズの移動量を演算し、モータドライバ５１３に出力するＡＦモータ制御信号に反映する。
【００７０】
第２のモータ２１を駆動する制御信号が入力されたら、モータドライバ５１３は第２のモータ２１へ制御信号を出力する。撮影動作（クイックリターンミラーの跳ね上げ、絞り駆動、シャッター駆動）を行うとき、第２のモータ２１を正転させる制御信号が、フィルムを巻き戻すとき、第２のモータを逆転させる制御信号が、モータドライバ５１３から第２のモータ２１へ出力される。
【００７１】
内蔵フラッシュ３００はＤＰＵ５０１に接続されている。ＣＰＵ５００からＤＰＵ５０１を介して内蔵フラッシュ３００に充電を指示する制御信号が出力される。内蔵フラッシュ３００の電圧値は、ＤＰＵ５０１に入力され、ＤＰＵ５０１からＣＰＵ５００へ出力される。ＣＰＵ５００では入力された電圧値に基づいて内蔵フラッシュ３００の充電が完了したかを判断する。内蔵フラッシュ３００の動作は、ＤＰＵ５０１から出力される発光制御信号に基づいて実行される。
【００７２】
内蔵フラッシュ３００の光量はＴＴＬ受光素子５１４の出力に基づいてＤＰＵ５０１により制御される。ＴＴＬ受光素子５１４から出力される電流は、ＤＰＵ５０１内の所定のコンデンサに蓄積される。コンデンサの充電量が所定量に達したら、内蔵フラッシュ３００の発光を停止させる制御信号がＤＰＵ５０１から内蔵フラッシュ３００へ出力される。
【００７３】
ＤＰＵ５０１には、フラッシュモードスイッチ５１５、フラッシュ手動アップスイッチ５１６、上述のフラッシュアップ検知スイッチ２３０（図１６〜１８参照）等の各種スイッチが接続されており、各スイッチの状態が入力される。フラッシュモードスイッチ５１５は、操作者によりどのフラッシュモード（赤目発光、発光禁止、オートフラッシュ等）が選択されたかを示すスイッチである。フラッシュ手動アップスイッチ５１６は、フラッシュケース４をアップし、内蔵フラッシュ３００を発光させるためのカメラボディ１に配設される操作ボタンに連動するスイッチである。フラッシュアップ検知スイッチ２３０（図１６〜図１８参照）は、上述のように、フラッシュケース４のアップ・ダウンに連動するスイッチである。
【００７４】
ＣＰＵ５００には、カメラボディ１の電源ボタンに応じてオンオフするメインスイッチ５１７が接続される。
【００７５】
ＤＰＵ５０１には、コード板１２４に連結されるフラッシュアップＳＷ１２５、フラッシュダウンＳＷ１２６（図２０参照）が接続されている。ＤＰＵ５０１はこれらのスイッチのオンオフの組み合わせに基づいてフラッシュケース４の位置を検知する。
【００７６】
図２９は、撮影処理のメインルーチンの処理手順の前半を示すフローチャート、図３０は、メインルーチンの処理手順の後半を示すフローチャートである。カメラボディ１の電源ボタンが押され、メインスイッチ５１７がオンすると、ステップＳ１００で、ＣＰＵ５００の初期化処理が実行され、ＣＰＵ５００に接続されたＲＡＭのクリア等が行われる。ステップＳ１０２では、ＣＰＵ５００に接続されたモータドライバ５０７、５１３、ＡＦＩＣ５１２等の各周辺回路の初期化処理が実行される。
【００７７】
ステップＳ１０４で、図２８に示す上述の各スイッチのオン・オフ情報が入力され、ＲＡＭに保存される。次いで、ステップＳ１０６において、入力された各スイッチのオン・オフ情報に基づいて、各種モードの切り換え等が実行される。ステップＳ１０８では、操作者が操作した各種ボタン、電子ダイヤルの操作内容をカメラボディ１の背面のＬＣＤ５０４に表示する処理が実行される。
【００７８】
次いで、ステップＳ１１０へ進み、カメラボディ１の電源ボタンが押され、メインスイッチ５１７がオフされたときのフラッシュケース４をダウンさせるための処理が実行される。
【００７９】
ステップＳ１１２では、カメラボディ１のシャッターボタン２が半押しされ測光スイッチがオンされたか確認され、ステップＳ１１４ではシャッターボタン２が全押しされ、レリーズスイッチがオンされたか確認される。シャッターボタン２が全く押されない状態が続くとき、ステップＳ１０４〜Ｓ１１４の処理が繰り返される。
【００８０】
測光スイッチ若しくはレリーズスイッチがオンされると、図３０のステップＳ１１６へ進む。１２５ｍｓｅｃ（ミリ秒）に１回、以降の処理が実行されるよう制御すべく、ステップＳ１１６において、１２５ｍｓｅｃのインターバルタイマーがスタートされる。次いで、ステップＳ１１８では、ステップＳ１０４と同様、各スイッチのオン・オフ情報が入力されてＲＡＭに保存され、ステップＳ１２０では、ステップＳ１０６と同様、入力された各スイッチのオン・オフ情報に基づき、各種モードの切り換え等が実行される。
【００８１】
Ｓ１２２では１６分割測光ＩＣ５１１に電源が投入され、各センサーの輝度値が入力され、ステップＳ１２４において、入力された輝度値に基づいて測光演算が行われ、シャッター速度、絞り値が算出される。次いで、ステップＳ１２６において、各モード、シャッター速度、絞り値をＬＣＤ５０４に表示する処理が実行される。
【００８２】
次いで、ステップＳ１２８へ進み、電源オフ時のフラッシュダウン以外のフラッシュケース４のアップ・ダウンを制御するフラッシュアップ・ダウン処理が実行される。
【００８３】
ステップＳ１３０において、レリーズスイッチの状態がチェックされる。レリーズスイッチがオンであることが確認されると、ステップＳ１３２へ進み、レリーズ処理ルーチンが実行される。レリーズ処理ルーチンでは、シャッター駆動、絞りの制御が実行される。その後、ステップＳ１１６へ戻り、インターバルタイマーがリセットされ、以降の処理が繰り返される。
【００８４】
ステップＳ１３０において、レリーズスイッチがオフであることが確認されると、ステップＳ１３４へ進む。ステップＳ１３４では、１２５ｍｓｅｃ経過したか否かがチェックされ、１２５ｍｓｅｃ経過したことが確認されると、ステップＳ１３６へ進む。ステップＳ１３６では、測光スイッチの状態がチェックされる。測光スイッチがオンしていることが確認されると、ステップＳ１１８へ戻り、以降の処理が繰り返される。測光スイッチがオフしていることが確認されると、図２９のステップＳ１０４へ戻り、以降の処理が繰り返される。
【００８５】
図３１は、ステップＳ１１０で実行される電源スイッチオフ時のフラッシュダウン処理の処理手順を示すフローチャートである。ステップＳ２００において、メインスイッチ５１７とフラッシュアップ検知スイッチ２３０の状態がチェックされる。メインスイッチ５１７がオフであり、かつフラッシュアップ検知スイッチ２３０がオンのとき、ステップＳ２０２へ進む。ステップＳ２０２では、フラッシュケース４をダウンさせるためのフラッシュＤＯＷＮ処理が実行される。すなわち、フラッシュケース４がアップの状態でカメラボディ１の電源がオフされると、フラッシュケース４をダウンさせる処理が実行される。
【００８６】
図３２は、ステップＳ１２８で実行されるフラッシュアップ・ダウン処理の処理手順を示すフローチャートである。ステップＳ２１０において、フラッシュアップ許可処理が実行され、実際にフラッシュケース４をアップさせるか否かを判断する処理が実行される。この処理でフラッシュケース４をアップさせると判断されると、フラッシュアップ許可フラグに「１」がセットされる。
【００８７】
ステップＳ２１２では、フラッシュアップ許可フラグに「１」がセットされているかチェックされる。このフラッシュアップ許可フラグに「１」がセットされてることが確認されると、ステップＳ２１４へ進む。ステップＳ２１４では、第１のモータ１１を回転させ、フラッシュケース４をアップさせるフラッシュＵＰ処理が実行される。
【００８８】
ステップＳ２１２で、フラッシュアップ許可フラグに「１」がセットされていないことが確認されると、ステップＳ２１６へ進む。ステップＳ２１６では、フラッシュダウン許可処理が実行され、実際にフラッシュケース４をダウンさせるか否かを判断する処理が実行される。この処理でフラッシュケース４をダウンさせると判断されると、フラッシュダウン許可フラグに「１」がセットされる。
【００８９】
ステップＳ２１８で、フラッシュダウン許可フラグがチェックされる。フラッシュダウン許可フラグに「１」がセットされておらず、フラッシュケース４のダウン動作を実行しないことが確認されたらステップＳ２２２へ進む。
【００９０】
ステップＳ２１８でフラッシュダウン許可フラグに「１」がセットされていることが確認されたら、ステップＳ２２０へ進む。ステップＳ２２０では、第１のモータ１１を回転させ、フラッシュケース４をダウンさせるフラッシュＤＯＷＮ処理が実行される。
【００９１】
フラッシュＵＰ処理若しくはフラッシュＤＯＷＮ処理が終了するか、フラッシュアップ許可フラグ及びフラッシュダウン許可フラグのいずれにも「１」がセットされていないことが確認されると（ステップＳ２１８でＮＯ）、ステップＳ２２２へ進む。ステップＳ２２２では、現在のフラッシュアップ検知スイッチ２３０のオンオフに基づく値が「前回フラッシュ検知フラグ」にセットされる。すなわち、現在フラッシュ３００がアップしているかダウンしているかが、同フラグにセットされる。以上でフラッシュアップ・ダウン処理は終了する。
【００９２】
図３３は、図３２のステップＳ２１０で実行されるフラッシュアップ許可処理の処理手順を示すフローチャートである。Ｓ３１０において、フラッシュアップ許可フラグに「０」がセットされ、初期化される。次いでステップＳ３１２へ進み、手動フラッシュアップ処理が実行される。この処理において、カメラボディ１に設けられたフラッシュボタンが操作され、操作者からフラッシュアップが指示されたかチェックされる。
【００９３】
図３４は、図３３で実行される手動フラッシュアップ処理の処理手順を示すフローチャートである。ステップＳ４００において、フラッシュ手動アップスイッチ５１６がオンであり、かつフラッシュアップ検知スイッチ２３０がオフであり、かつフラッシュモードスイッチ５１５が発光禁止モードを示していないか、チェックされる。これらの条件を満たす場合とは、フラッシュケース４がダウンしている状態で、操作者によりフラッシュ３００の使用が指定された場合である。従って、ステップＳ４０２へ進み、フラッシュアップ許可フラグに「１」がセットされる。一方、これらの条件を満たしていない場合、ステップＳ４０２の処理はスキップされ終了する。すなわち、例えば発光禁止モードが設定されているにもかかわらず、フラッシュアップボタンが押された場合、フラッシュアップ検知スイッチ２３０がオンであり、既にフラッシュケース４がアップしている場合等には、フラッシュアップ許可フラグは「０」のままとなる。
【００９４】
手動フラッシュアップ処理が終了したら、図３３のステップＳ３１４において、フラッシュアップ許可フラグが「０」であるかチェックされる。フラッシュアップ許可フラグが「０」であることが確認されると、ステップＳ３１６へ進む。ステップＳ３１６では強制フラッシュアップ処理が実行される。
【００９５】
図３５は、強制フラッシュアップ処理の処理手順を示すフローチャートである。ステップＳ４１０で、前回フラッシュ検知フラグがオフを示し、かつフラッシュアップ検知ＳＷ２３０がオンであるかチェックされる。これらの条件を満たす場合とは、操作者がフラッシュ手動アップスイッチ５１６を操作せずに、手動でダウンの状態にあるフラッシュケース４を強制的にアップさせ始めた場合である。従って、後述するフラッシュケース４のアップ処理を実行させるべく、ステップＳ４１２へ進み、フラッシュアップ許可フラグに「１」がセットされる。ステップＳ４１０でチェックされる条件が満たされていないことが確認されると、ステップＳ４１２の処理はスキップされ、フラッシュアップ許可フラグは「０」のまま終了する。
【００９６】
強制フラッシュアップ処理が終了したら、図３３のステップＳ３１８へ進み、フラッシュモードスイッチ５１５がオートフラッシュモードを示し、かつフラッシュアップ許可フラグが「０」であるかチェックされる。これらの条件を満たす場合、ステップＳ３２０へ進み、自動フラッシュアップ処理が実行される。
【００９７】
図３６は、自動フラッシュアップ処理の処理手順を示すフローチャートである。ステップＳ４２０で、シャッタ速度がシンクロ速度（フラッシュ４が同調可能な速度）以下であり、かつフラッシュケース４がダウンしており、フラッシュアップ検知スイッチ２３０がオフであり、かつ測光ＳＷがオンであるか確認される。この処理が実行されるのは、図３３のステップＳ３１８でオートフラッシュモードが設定されていることが確認された場合である。ステップＳ４２０の条件を満たす場合とは、オートフラッシュモードにおいて測光スイッチがオンし、図３０のステップＳ１２４で演算されたシャッター速度がシンクロ速度以下であり、シャッターケース４がダウンしている場合である。従って、ステップＳ４２２へ進み、フラッシュアップ許可フラグに「１」がセットされる。ステップＳ４２０の条件を満たさない場合、ステップＳ４２２はスキップされ終了する。
【００９８】
図３３のステップＳ３２０の自動フラッシュアップ処理が終了したら、フラッシュアップ許可処理は終了し、図３２のステップＳ２１０へ戻る。以上のように、フラッシュアップ許可フラグに「１」がセットされる場合とは、フラッシュケース４がダウンしている状態で、操作者によりフラッシュ３００の使用が指定された場合（ステップＳ３１２で判断）、ダウンの状態にあるフラッシュケース４を操作者が手動で強制的にアップさせ始めた場合（ステップＳ３１６で判断）、オートフラッシュモードにおいて測光スイッチがオンし、シャッターケース４がダウンしている場合（ステップＳ３２０で判断）である。こららの場合、後述するフラッシュＵＰ処理が実行され、フラッシュケース４がアップさせられる。
【００９９】
図３７は、図３２のステップＳ２１６でコールされるフラッシュダウン許可処理の処理手順を示すフローチャートである。ステップＳ３４０で、フラッシュダウン許可フラグに「０」がセットされ、クリアされる。次いでステップＳ３４２へ進み、前回フラッシュ検知フラグがオンを示し、かつフラッシュアップ検知スイッチ２３０がオフしているかチェックされる。この条件を満たす場合とは、アップの状態にあるフラッシュケース４に何らかの外力が加えられ、フラッシュケース４がダウン位置へ回動し始めた場合である。例えば、操作者が手動で強制的にフラッシュケース４をダウン位置へ押した場合、フラッシュケース４がアップ状態のまま放置され、他の物体とぶつかった場合等である。Ｓ３４２の条件を満たすとき、ステップＳ３４４へ進み、フラッシュダウン許可フラグに「１」がセットされる。ステップＳ３４２の条件を満たさない場合、フラッシュダウン許可フラグは「０」のまま終了する。
【０１００】
再び図３２を参照すると、ステップＳ２１０でフラッシュアップ許可処理がコールされた後、ステップＳ２１２でフラッシュアップ許可フラグに「１」がセットされていることが確認されると、ステップＳ２１４でフラッシュＵＰ処理がコールされる。すなわち、フラッシュケース４がダウンしている状態で、操作者によりフラッシュ３００のアップが指定された場合、ダウンの状態にあるフラッシュケース４を、操作者が手動で強制的にアップさせ始めた場合、オートフラッシュモードにおいて測光スイッチがオンし、シャッターケース４がダウンしている場合、フラッシュＵＰ処理がコールされる。
【０１０１】
また、ステップＳ２１２でフラッシュアップ許可フラグが「０」のままであることが確認され、ステップＳ２１６でフラッシュダウン許可処理がコールされた後、ステップＳ２１８でフラッシュダウン許可フラグに「１」がセットされたことが確認されると、ステップＳ２２０でフラッシュＤＯＷＮ処理がコールされる。すなわち、アップの状態にあるフラッシュケース４を、操作者が手動で強制的にダウンさせ始めると、フラッシュＤＯＷＮ処理がコールされる。
【０１０２】
図３８〜４０を参照しながら、フラッシュＵＰ処理の処理手順について説明する。図３８のステップＳ１０００で初期化処理が行われれ、ＮＧカウンタに「２５００」がセットされ、チャタフリーカウンタに「４」がセットされ、戻り値に「０」がセットされる。ＮＧカウンタは、第１のモータ１１に通電しても各部材の不具合等により駆動機構が駆動されないときの処理に用いられる。チャタフリーカウンタは、カムギヤ１２０の回転に応じたブラシ１２３とコード板１２４の相対的位置関係の変化により、ブラシ１２３とコード板１２４のアップ部１２４ａ、ダウン部１２４ｂが接触していることを確認するためのカウンタである。戻り値には、この処理の終了時、コール元のルーチンに返すリターン値がセットされる。
【０１０３】
ステップＳ１００２においてコード板１２４に連結されたフラッシュアップＳＷ１２５がオンしているかチェックされる。フラッシュアップＳＷ１２５がオンしていることが確認されたら、ステップＳ１００４へ進み、フラッシュダウンＳＷ１２６がオフしているかチェックされる。このステップでフラッシュダウンＳＷ１２６がオフしていることが確認される場合とは、フラッシュアップＳＷ１２５がオンで、かつフラッシュダウンＳＷ１２６がオフという状態の場合である。すなわち、ブラシ１２３が図２０の領域ＵＰにあり、フラッシュケース４がアップしている状態を示しているため、本処理の処理は実行されず終了する（図４０参照）。
【０１０４】
ステップＳ１００２でフラッシュアップＳＷ１２５がオフであると確認されるか、あるいはステップＳ１００４でフラッシュダウンＳＷがオンであることが確認されると、ステップＳ１００６へ進む。フラッシュアップＳＷ１２５がオフ、若しくはフラッシュダウンＳＷ１２６がオンの場合とは、ブラシが領域ＵＤ、ＤＮ、ＤＵ（図２０参照）のいずれかにある場合である。、ステップＳ１００６では、フラッシュケース４を回転させるべく、第１のモータ１１の正転が開始される。
【０１０５】
次いで、ステップＳ１００８で２００μｓｅｃ（マイクロ秒）タイマがスタートさせられ、ステップＳ１０１０でＮＧカウンタが「１」デクリメントされる。ステップＳ１０１２ではＮＧカウンタの値がチェックされる。ＮＧカウンタが「０」に達していたら、第１のモータ１１を逆転させたにもかかわらず各駆動機構が駆動されない状態が所定時間、続いていると判断される。そして、処理は中断され、図４０のステップＳ１０５６へ進み、戻り値に異常終了を示す「１」をセットし、本処理は終了する。
【０１０６】
ステップＳ１０１２でＮＧカウンタが「０」に達していないことが確認されたら、ステップＳ１０１４へ進む。ステップＳ１０１４ではフラッシュアップＳＷ１２５がオンであるかチェックされる。フラッシュアップＳＷ１２５がオンであると確認されたらステップＳ１０１８へ進み、チャタフリーカウンタが「１」デクリメントされる。次いで、ステップＳ１０１８へ進み、チャタフリーカウンタが「０」に達しているか確認される。ステップＳ１０１８において、チャタフリーカウンタが「０」に達していないことが確認されたら、ステップＳ１０２０へ進み、２００μｓｅｃが経過したか確認される。２００μｓｅｃが経過したら、ステップＳ１００８へ戻り、以降の処理が繰り返される。
【０１０７】
ステップＳ１０１４において、フラッシュアップＳＷ１２５がオンしていないことが確認されたら、ステップＳ１０２２へ進み、チャタフリーカウンタに「４」がリセットされ、ステップＳ１０２０へ進み、上述の処理が行われる。
【０１０８】
ステップＳ１０１８においてチャタフリーカウンタが「０」に達していることが確認されたら、ステップＳ１０２４へ進み、チャタフリーカウンタに「４」がリセットされ、図３９に示す以降の処理へ進む。
【０１０９】
以上のように、ステップＳ１００８〜Ｓ１０２２の処理は２００μｓｅｃ毎に１回ループされ、ＮＧカウンタは２００μｓｅｃ毎に「１」デクリメントされる。従って、ステップＳ１０１２においてＮＧカウンタが「０」に達する場合とは、ステップＳ１００８〜Ｓ１０２２のループ処理が繰り返される状態が０．５ｓｅｃ継続している場合である。本実施形態では、この状態を第１のモータ１１を逆転させたにもかかわらず各駆動機構が駆動されない異常状態と判断する。
【０１１０】
また、上述のループ処理において、フラッシュアップＳＷ１２５がオンであることが確認されると、チャタフリーカウンタが「１」ディリメントされ、初期値が「４」であったチャタフリーカウンタが「０」に達した時点でループ処理を抜け、ステップＳ１０２４へ進む。換言すれば、フラッシュアップＳＷ１２５がオフまたはフラッシュダウンＳＷ１２６がオンであることが確認され、第１のモータ１１の逆転が開始された後、８００μｓｅｃ（２００μｓｅｃ×４）の間、フラッシュアップＳＷ１２５がオンであることが確認されたら、ステップＳ１０２０へ進む。すなわち、フラッシュアップＳＷ１２５がオンの状態が８００μｓｅｃ間、継続したことが確認されたら、後述する処理へ進む。
【０１１１】
８００μｓｅｃ（２００μｓｅｃ×４）の間、フラッシュアップＳＷ１２５がオンであることが確認され、ステップＳ１０２０でチャタフリーカウンタがリセットされたら、図３９のステップＳ１０２６へ進む。ステップＳ１０２６〜Ｓ１０４０までのループ処理は、ステップＳ１００８〜Ｓ１０２２までのループ処理と略同様の手順で実行される。ステップＳ１０２６〜Ｓ１０４０のループ処理では、第１のモータ１１が通電状態であるにもかかわらず、各駆動機構が駆動されない状態が０．５ｓｅｃ続いているか、フラッシュダウンＳＷ１２６がオフしている状態が８００μｓｅｃ続いているか、がチェックされる。すなわち、ステップＳ１０３０でＮＧカウンタが「０」に達していることが確認されたら、上述のように、図４０のステップＳ１０５６へ進み、戻り値に「１」がセットされ、本ルーチンは終了する。
【０１１２】
また、ステップＳ１０３６でチャタフリーカウンタが「０」に達していることが確認され、フラッシュダウンＳＷ１２６がオフしている状態が８００μｓｅｃ続いていることが確認されたら、図４０のステップＳ１０４２へ進み、以降の処理が実行される。
【０１１３】
処理が図４０のステップＳ１０４２に進む場合とは、フラッシュアップＳＷ１２５がオンで、かつフラッシュダウンＳＷ１２６がオフの状態が所定時間、継続している場合である。すなわち、図３８のステップＳ１００６で開始した第１のモータ１１の逆転によりブラシ１２３が領域ＵＰ（図２０参照）内に入った状態であり、フラッシュケース４がアップしたと判断される。従って、ステップＳ１０４２以降において第１のモータ１１を停止する処理が実行される。
【０１１４】
ステップＳ１０４２において、ショートブレーキ処理が行われる。ショートブレーキ処理とは、第１のモータ１１の両端子をグランドレベルに落とす処理である。次いでステップＳ１０４４で１０ｍｓｅｃ待機した後、ステップＳ１０４６において、第１のモータ１１を逆方向へ回転させる処理、すなわち逆転させる処理が実行される。次いでステップＳ１０４８で１０ｍｓｅｃ待機した後、ステップＳ１０５０において、ステップＳ１０４２と同様のショートブレーキ処理が行われる。次いでステップＳ１０５２で５０ｍｓｅｃ待機した後、ステップＳ１０５４において第１のモータ１１が非通電の状態にされ、本ルーチンは終了する。
【０１１５】
次に、図４１〜４３を参照しながら、上述のステップＳ２０２およびＳ２２０にて実行されるフラッシュＤＯＷＮ処理の処理手順について説明する。ステップＳ１１００において、ＮＧカウンタ、チャタフリーカウンタ、戻り値が初期化される。次いで、フラッシュダウンＳＷ１２６がオンで、かつフラッシュアップＳＷ１２５がオフの場合（ステップＳ１１０２でＹＥＳ、ステップＳ１１０４でＹＥＳ）、ブラシ１２３は領域ＤＮ（図２０参照）にあり、フラッシュケース４は既にダウンしていると判断される。従って、以降の処理は行われず、本ルーチンは終了する。
【０１１６】
フラッシュダウンＳＷ１２６がオフの場合（ステップＳ１１０２でＮＯ）、若しくはフラッシュダウンＳＷ１２６及びフラッシュアップＳＷ１２５がオンの場合（ステップＳ１１０２でＹＥＳ、ステップＳ１１０４でＮＯ）、ステップＳ１１０６へ進み、第１のモータ１１の正転が開始される。
【０１１７】
ステップＳ１１０８〜Ｓ１１２４のループ処理は、図３８のステップＳ１００８〜Ｓ１０２２のループ処理と略同様であり、２００ｍｓｅｃ毎に１回行われる。但し、本ルーチンにおいては、フラッシュダウンＳＷ１２６及びフラッシュアップＳＷ１２５が共にオフであることが確認されたら（ステップＳ１１１４でＹＥＳ、ステップＳ１１１６でＹＥＳ）、チャタフリーカウンタが「１」デクリメントされる。
【０１１８】
チャタフリーカウンタが「０」に達し（ステップＳ１１２０でＹＥＳ）、ブラシが領域ＵＤ（図２０参照）にあることが確認されたら、ステップＳ１１２６でチャタフリーカウンタがリセットされ、図４２のステップＳ１１２８へ進む。ステップＳ１１２８〜Ｓ１１４２のループ処理は、図３９のステップＳ１０２６〜Ｓ１０４０までのループ処理と略同様である。但し、本ルーチンにおいては、フラッシュダウンＳＷ１２６がオンの状態が２００ｍｓｅｃ、続いていることが確認されたら（ステップＳ１１３８でＹＥＳ）、図４３のステップＳ１１４４へ進む。すなわち、ブラシ１２３が領域ＵＤから領域ＤＮへ移ったことが確認されたら、ステップＳ１１４４以降の処理が行われる。
【０１１９】
ステップＳ１１４４〜Ｓ１１５６の処理は、図４０のステップＳ１０４２〜Ｓ１０５４の処理と同一である。すなわち、ショートブレーキ処理（ステップＳ１１４４、Ｓ１１５２）と、第１のモータ１１の逆転（ステップＳ１１４８）と、所定の待機時間を経て行われ、第１のモータ１１は停止される。
【０１２０】
以上のように本実施形態によれば、フラッシュケース４がアップの状態でカメラボディ１の電源がオフされると、フラッシュケース４をダウンさせる処理が実行される。従って、フラッシュ３００を用いて撮影した後、操作者がフラッシュケース４をダウンさせる動作を忘れても、フラッシュ３００は収納される。
【０１２１】
また、フラッシュケース４のポップアップに連動してオン・オフするフラッシュアップ検知スイッチ２３０を設け、その状態を所定時間毎に前回フラッシュ検知フラグに記憶させている。従って、このフラグとフラッシュアップ検知スイッチ２３０のカレントの状態とを比較することにより、ダウンの状態にあるフラッシュケース４を操作者が手動で強制的にアップさせ始めた場合、あるいはアップの状態にあるフラッシュケース４が外力により押された場合を判断することができる。本実施形態では、前者の場合、フラッシュケース４は自動的にアップされ、後者の場合、フラッシュケース４は自動的にダウンされる。別言すると、操作者がフラッシュケースを直接動かした場合であっても、アップダウン機構に負荷や損傷を与えることなく、自動的にフラッシュケースをアップ位置またはダウン位置へ駆動できる。
【０１２２】
以上のように、フラッシュケース４のアップ・ダウンが所定の条件で自動的に行われるためフラッシュ３００の操作性が向上すると共に、フラッシュケース４をアップさせたまま放置することによる各部材の破損が防止される。
【０１２３】
【発明の効果】
以上のように、本発明によれば、一眼レフカメラのフラッシュケースの操作性が向上する。
【図面の簡単な説明】
【図１】本発明に係る実施形態が適用される一眼レフカメラのカメラボディの外観の正面図である。
【図２】カメラボディの外観を図１の右側から示す側面図である。
【図３】カメラボディの内部構成を示す正面図である。
【図４】カメラボディの内部構成の平面図である。
【図５】カメラボディの内部構成の底面図である。
【図６】カメラボディの内部構成を図３の右側から示す側面図である。
【図７】第１のモータの回転をスプールに伝達するときの第１の減速機構のギヤ構成を示す平面図である。
【図８】第１のモータの回転をフラッシュケースのアップダウン機構に伝達するときの第１の減速機構のギヤ構成を示す平面図である。
【図９】カムギヤとフラッシュケースのアップダウン機構の回転レバーを示す平面図である。
【図１０】フラッシュケースのアップダウン機構の回転レバー、回転アーム、押えバネを示す平面図である。
【図１１】フラッシュケースのアップダウン機構の回転レバー、回転アーム、押えバネを示す斜視図である。
【図１２】フラッシュケースのアップダウン機構の回転アームとフラッシュケースを示す側面図である。
【図１３】フラッシュケースのアップダウン機構の回転アームとフラッシュケースの変位を示す側面図である。
【図１４】フラッシュケースがアップ位置に位置づけられるときの、カムギヤとフラッシュケースのアップダウン機構の回転レバーを示す平面図である。
【図１５】フラッシュケースがアップ位置とダウン位置の中間に位置するときの、カムギヤとフラッシュケースのアップダウン機構の回転レバーを示す平面図である。
【図１６】フラッシュケースがダウン位置にあるときの回転アームとフラッシュアップ検知スイッチの相対的位置関係を示す図である。
【図１７】フラッシュケースがアップ位置とダウン位置の中間にあるときの回転アームとフラッシュアップ検知スイッチの相対的位置関係を示す図である。
【図１８】フラッシュケースがアップ位置にあるときの回転アームとフラッシュアップ検知スイッチの相対的位置関係を示す図である。
【図１９】カムギヤに設けられるブラシを透視的に示す図である。
【図２０】フラッシュケースの位置を検知するためのコード板とスイッチを示す図である。
【図２１】第２の減速機構を正面から拡大して示す図である。
【図２２】第２の減速機構の一部の部材を省略して示す拡大図である。
【図２３】第２の減速機構の斜視図である。
【図２４】第２の減速機構を図１６の左側から示す側面図である。
【図２５】ＡＦ駆動機構の斜視図である。
【図２６】図２５の斜視図において保持筐体を省略した状態を示す図である。
【図２７】ＡＦ駆動機構の平面図である。
【図２８】一眼レフカメラのブロック図である。
【図２９】撮影処理のメインルーチンの処理手順の前半を示すフローチャートである。
【図３０】撮影処理のメインルーチンの処理手順の後半を示すフローチャートである。
【図３１】フラッシュダウン処理の処理手順を示すフローチャートである。
【図３２】フラッシュアップ・ダウン処理の処理手順を示すフローチャートである。
【図３３】フラッシュアップ許可処理の処理手順を示すフローチャートである。
【図３４】手動フラッシュアップ処理の処理手順を示すフローチャートである。
【図３５】強制フラッシュアップ処理の処理手順を示すフローチャートである。
【図３６】自動フラッシュアップ処理の処理手順を示すフローチャートである。
【図３７】フラッシュダウン許可処理の処理手順を示すフローチャートである。
【図３８】フラッシュケースをアップさせるための第１のモータの回転制御の処理手順の前半を示すフローチャートである。
【図３９】フラッシュケースをアップさせるための第１のモータの回転制御の処理手順の中間を示すフローチャートである。
【図４０】フラッシュケースをアップさせるための第１のモータの回転制御の終了処理の手順を示すフローチャートである。
【図４１】フラッシュケースをダウンさせるための第１のモータの回転制御の処理手順の前半を示すフローチャートである。
【図４２】フラッシュケースをダウンさせるための第１のモータの回転制御の処理手順の中間を示すフローチャートである。
【図４３】フラッシュケースをダウンさせるための第１のモータの回転制御の終了処理の手順を示すフローチャートである。
【符号の説明】
１  カメラボディ
４  フラッシュケース
６  クイックリターンミラー
１０  スプール
１１  第１のモータ
１４  第１の切換手段
２０  パトローネ室
２１  第２のモータ
２２  巻き戻しフォーク
２３  第２の切換手段
１２３  ブラシ
１２４  コード板
１２５  フラッシュアップＳＷ
１２６  フラッシュダウンＳＷ
２３０  フラッシュアップ検知スイッチ
【図１】
2004251994.tif 000003
【図２】
2004251994.tif 000004
【図３】
2004251994.tif 000005
【図４】
2004251994.tif 000006
【図５】
2004251994.tif 000007
【図６】
2004251994.tif 000008
【図７】
2004251994.tif 000009
【図８】
2004251994.tif 000010
【図９】
2004251994.tif 000011
【図１０】
2004251994.tif 000012
【図１１】
2004251994.tif 000013
【図１２】
2004251994.tif 000014
【図１３】
2004251994.tif 000015
【図１４】
2004251994.tif 000016
【図１５】
2004251994.tif 000017
【図１６】
2004251994.tif 000018
【図１７】
2004251994.tif 000019
【図１８】
2004251994.tif 000020
【図１９】
2004251994.tif 000021
【図２０】
2004251994.tif 000022
【図２１】
2004251994.tif 000023
【図２２】
2004251994.tif 000024
【図２３】
2004251994.tif 000025
【図２４】
2004251994.tif 000026
【図２５】
2004251994.tif 000027
【図２６】
2004251994.tif 000028
【図２７】
2004251994.tif 000029
【図２８】
2004251994.tif 000030
【図２９】
2004251994.tif 000031
【図３０】
2004251994.tif 000032
【図３１】
2004251994.tif 000033
【図３２】
2004251994.tif 000034
【図３３】
2004251994.tif 000035
【図３４】
2004251994.tif 000036
【図３５】
2004251994.tif 000037
【図３６】
2004251994.tif 000038
【図３７】
2004251994.tif 000039
【図３８】
2004251994.tif 000040
【図３９】
2004251994.tif 000041
【図４０】
2004251994.tif 000042
【図４１】
2004251994.tif 000043
【図４２】
2004251994.tif 000044
【図４３】
2004251994.tif 000045
【手続補正書】
【提出日】平成16年2月16日(2004.2.16)
【手続補正１】
【補正対象書類名】明細書
【補正対象項目名】請求項７
【補正方法】変更
【補正の内容】
【請求項７】
前記付勢手段は前記フラッシュケースがアップ位置へ向かう第１方向に前記第２連係部材を付勢しており、前記第１係合部は、前記駆動手段により前記第２連携部材が前記第１方向とは反対の第２方向へ駆動された際に前記弾性部材と係合することを特徴とする請求項６に記載のカメラのフラッシュ制御機構。
【手続補正２】
【補正対象書類名】明細書
【補正対象項目名】０００８
【補正方法】変更
【補正の内容】
【０００８】
好ましくは、ケース回動手段は、モータと、モータの回転運動を伝達するギヤ列と、ギヤ列に連結され、一方の平面にカムが形成されたカムギヤと、カムギヤの回転によるカムの回転に応じて変位するカムフォロアと、カムフォロアの変位をフラッシュケースの回転運動に変換する変換手段と、フラッシュケースの位置を検知する第２の位置検知手段と、第２の位置検知手段の検知結果に応じて、モータの駆動を制御するモータ制御手段とを有する。


【手続補正３】
【補正対象書類名】明細書
【補正対象項目名】００１１
【補正方法】変更
【補正の内容】
【００１１】
より好ましくは、付勢手段はフラッシュケースがアップ位置へ向かう第１方向に第２連係部材を付勢しており、第１係合部は、駆動手段により第２連携部材が第１方向とは反対の第２方向へ駆動された際に弾性部材と係合する。


【手続補正４】
【補正対象書類名】明細書
【補正対象項目名】００１２
【補正方法】変更
【補正の内容】
【００１２】
以上のように本発明によれば、フラッシュケースがアップ位置にあるとき、カメラボディの電源がオフされると、フラッシュケースはダウン位置へ回動される。従って、操作者がフラッシュケースをダウンさせるための操作部材を操作する必要がなく、操作性が向上する。


【手続補正５】
【補正対象書類名】明細書
【補正対象項目名】００１４
【補正方法】変更
【補正の内容】
【００１４】
さらに、電源がオフされたとき、及びアップ位置のフラッシュケースに外力を加えたとき、フラッシュケースは制御手段によりダウン位置に移動されるため、フラッシュケースがアップ位置にあるまま、持ち運び等されることはない。従って、カメラボディの各部材の破損が防止される。


【手続補正６】
【補正対象書類名】明細書
【補正対象項目名】００１６
【補正方法】変更
【補正の内容】
【００１６】
図３はカメラボディ１の内部構成を示す正面図、図４は同内部構成の平面図、図５は同内部構成の底面図、図６は同内部構成を図３の右側から示す側面図である。スプール１０の近傍には第１のモータ１１が配設される。第１のモータ１１の回転運動は、第１の減速機構Ｄ１を介して、フラッシュのアップダウン機構またはスプール１０に選択的に伝達される。具体的には、第１のモータ１１の回転運動は、フリクションギヤ１０９、連結ギヤ１１０、スプールギヤ１１１を介してスプール１０に伝達されるか、またはカムギヤ１２０を介してフラッシュのアップダウン機構、すなわちフラッシュケース４の駆動機構に伝達される。第１のモータ１１の回転運動のスプール１０への伝達、アップダウン機構への伝達の切換えは第１の切換手段１４（図７）により行われる。パトローネ室２０の底面近傍には第２のモータ２１が配設される。第２のモータ２１の回転運動は、第２の伝達機構Ｄ２を介して、パトローネ室２０の巻き戻しフォーク２２へ伝達されるか、またはクイックリターンミラー６、絞り（図示せず）、及びシャッター（図示せず）の駆動手段に伝達される。第２のモータ２１の回転運動の巻き戻しフォーク２２への伝達と、クイックリターンミラー６等の駆動手段への伝達の切り換えは第２の伝達機構Ｄ２における第２の切換手段２３（図２１）により行われる。第１のモータ１１及び第２のモータ２１の回転の開始、停止、及び回転方向は、コントローラＣＲ（図７）により制御される。


【手続補正７】
【補正対象書類名】明細書
【補正対象項目名】００３０
【補正方法】変更
【補正の内容】
【００３０】
ここで、フラッシュケース４のアップダウン動作について説明する。図９〜図１１は、フラッシュケース４のダウン時、すなわちフラッシュ４がカメラボディ１の上面部に収納されているときの回転レバー２０１、回転アーム２１０、押えバネ２２０の位置関係を示す。カムフォロア２０６がカム１２１の領域１２１ｂの範囲内にあるとき、カムフォロア２０６はカムギヤ１２０の中心軸から最も離れた位置に位置する。換言すれば、カムフォロア２０６はカメラボディ１の背面側に位置づけられている。この状態において、回転レバー２０１はポップアップバネ２０４の付勢力に抗してカメラボディ１の背面側に位置しており、それに応じて押えばね２２０が回転アーム２１０の係合片２１１に係合し、回転アーム２１０はカメラボディ１の背面側に位置づけられている。その結果、図１３に示すように、フラッシュケース４はダウン位置に位置づけられる。


【手続補正８】
【補正対象書類名】明細書
【補正対象項目名】００３９
【補正方法】変更
【補正の内容】
【００３９】
尚、ブラシ１２３がコード板１２４の領域ＯＣにあるとき、回転アーム２１０は押えバネ２２０によりオーバーチャージされた状態にある。すなわち、このオーバーチャージ状態下では、押えバネ２２０による弾性力が回転アーム２１０に加わっていて、フラッシュケース４をダウン位置に正しく位置させている。


【手続補正９】
【補正対象書類名】明細書
【補正対象項目名】００４０
【補正方法】変更
【補正の内容】
【００４０】
図２１は第２の減速機構Ｄ２を正面から拡大して示す図、図２２は図２１のうち一部の部材を省略して示す図、図２３は第２の減速機構Ｄ２の斜視図、図２４は第２の減速機構Ｄ２を図２１の左側から示す側面図である。ピニオンギヤ４０１は第２のモータ２１（図２３参照）の回転軸に固定される。減速ギヤ４０２はピニオンギヤ４０１に噛合し、太陽ギヤ４０３（図２２参照）は減速ギヤ４０２に噛合している。すなわち、第２のモータ２１の回転運動は、ピニオンギヤ４０１及び減速ギヤ４０２を介して所定の減速比で減速され、太陽ギヤ４０３に伝達される。また、太陽ギア４０３の回転は遊星ギア４０４を有する第２の切換手段２３へ伝達される。


【手続補正１０】
【補正対象書類名】明細書
【補正対象項目名】００９７
【補正方法】変更
【補正の内容】
【００９７】
図３６は、自動フラッシュアップ処理の処理手順を示すフローチャートである。ステップＳ４２０で、シャッタ速度がシンクロ速度（フラッシュ３００が同調可能な速度）以下であり、かつフラッシュケース４がダウンしており、フラッシュアップ検知スイッチ２３０がオフであり、かつ測光ＳＷがオンであるか確認される。この処理が実行されるのは、図３３のステップＳ３１８でオートフラッシュモードが設定されていることが確認された場合である。ステップＳ４２０の条件を満たす場合とは、オートフラッシュモードにおいて測光スイッチがオンし、図３０のステップＳ１２４で演算されたシャッター速度がシンクロ速度以下であり、シャッターケース４がダウンしている場合である。従って、ステップＳ４２２へ進み、フラッシュアップ許可フラグに「１」がセットされる。ステップＳ４２０の条件を満たさない場合、ステップＳ４２２はスキップされ終了する。


【手続補正１１】
【補正対象書類名】明細書
【補正対象項目名】０１０５
【補正方法】変更
【補正の内容】
【０１０５】
次いで、ステップＳ１００８で２００μｓｅｃ（マイクロ秒）タイマがスタートさせられ、ステップＳ１０１０でＮＧカウンタが「１」デクリメントされる。ステップＳ１０１２ではＮＧカウンタの値がチェックされる。ＮＧカウンタが「０」に達していたら、第１のモータ１１を正転させたにもかかわらず各駆動機構が駆動されない状態が所定時間、続いていると判断される。そして、処理は中断され、図４０のステップＳ１０５６へ進み、戻り値に異常終了を示す「１」をセットし、本処理は終了する。


【手続補正１２】
【補正対象書類名】明細書
【補正対象項目名】０１０６
【補正方法】変更
【補正の内容】
【０１０６】
ステップＳ１０１２でＮＧカウンタが「０」に達していないことが確認されたら、ステップＳ１０１４へ進む。ステップＳ１０１４ではフラッシュアップＳＷ１２５がオンであるかチェックされる。フラッシュアップＳＷ１２５がオンであると確認されたらステップＳ１０１６へ進み、チャタフリーカウンタが「１」デクリメントされる。次いで、ステップＳ１０１８へ進み、チャタフリーカウンタが「０」に達しているか確認される。ステップＳ１０１８において、チャタフリーカウンタが「０」に達していないことが確認されたら、ステップＳ１０２０へ進み、２００μｓｅｃが経過したか確認される。２００μｓｅｃが経過したら、ステップＳ１００８へ戻り、以降の処理が繰り返される。


【手続補正１３】
【補正対象書類名】明細書
【補正対象項目名】０１０９
【補正方法】変更
【補正の内容】
【０１０９】
以上のように、ステップＳ１００８〜Ｓ１０２２の処理は２００μｓｅｃ毎に１回ループされ、ＮＧカウンタは２００μｓｅｃ毎に「１」デクリメントされる。従って、ステップＳ１０１２においてＮＧカウンタが「０」に達する場合とは、ステップＳ１００８〜Ｓ１０２２のループ処理が繰り返される状態が０．５ｓｅｃ継続している場合である。本実施形態では、この状態を第１のモータ１１を正転させたにもかかわらず各駆動機構が駆動されない異常状態と判断する。


【手続補正１４】
【補正対象書類名】明細書
【補正対象項目名】０１１０
【補正方法】変更
【補正の内容】
【０１１０】
また、上述のループ処理において、フラッシュアップＳＷ１２５がオンであることが確認されると、チャタフリーカウンタが「１」ディリメントされ、初期値が「４」であったチャタフリーカウンタが「０」に達した時点でループ処理を抜け、ステップＳ１０２４へ進む。換言すれば、フラッシュアップＳＷ１２５がオフまたはフラッシュダウンＳＷ１２６がオンであることが確認され、第１のモータ１１の正転が開始された後、８００μｓｅｃ（２００μｓｅｃ×４）の間、フラッシュアップＳＷ１２５がオンであることが確認されたら、ステップＳ１０２４へ進む。すなわち、フラッシュアップＳＷ１２５がオンの状態が８００μｓｅｃ間、継続したことが確認されたら、後述する処理へ進む。


【手続補正１５】
【補正対象書類名】明細書
【補正対象項目名】０１１１
【補正方法】変更
【補正の内容】
【０１１１】
８００μｓｅｃ（２００μｓｅｃ×４）の間、フラッシュアップＳＷ１２５がオンであることが確認され、ステップＳ１０２４でチャタフリーカウンタがリセットされたら、図３９のステップＳ１０２６へ進む。ステップＳ１０２６〜Ｓ１０４０までのループ処理は、ステップＳ１００８〜Ｓ１０２２までのループ処理と略同様の手順で実行される。ステップＳ１０２６〜Ｓ１０４０のループ処理では、第１のモータ１１が通電状態であるにもかかわらず、各駆動機構が駆動されない状態が０．５ｓｅｃ続いているか、フラッシュダウンＳＷ１２６がオフしている状態が８００μｓｅｃ続いているか、がチェックされる。すなわち、ステップＳ１０３０でＮＧカウンタが「０」に達していることが確認されたら、上述のように、図４０のステップＳ１０５６へ進み、戻り値に「１」がセットされ、本ルーチンは終了する。


【手続補正１６】
【補正対象書類名】明細書
【補正対象項目名】０１１３
【補正方法】変更
【補正の内容】
【０１１３】
処理が図４０のステップＳ１０４２に進む場合とは、フラッシュアップＳＷ１２５がオンで、かつフラッシュダウンＳＷ１２６がオフの状態が所定時間、継続している場合である。すなわち、図３８のステップＳ１００６で開始した第１のモータ１１の正転によりブラシ１２３が領域ＵＰ（図２０参照）内に入った状態であり、フラッシュケース４がアップしたと判断される。従って、ステップＳ１０４２以降において第１のモータ１１を停止する処理が実行される。


【手続補正１７】
【補正対象書類名】明細書
【補正対象項目名】０１１７
【補正方法】変更
【補正の内容】
【０１１７】
ステップＳ１１０８〜Ｓ１１２４のループ処理は、図３８のステップＳ１００８〜Ｓ１０２２のループ処理と略同様であり、２００μｓｅｃ毎に１回行われる。但し、本ルーチンにおいては、フラッシュダウンＳＷ１２６及びフラッシュアップＳＷ１２５が共にオフであることが確認されたら（ステップＳ１１１４でＹＥＳ、ステップＳ１１１６でＹＥＳ）、チャタフリーカウンタが「１」デクリメントされる。


【手続補正１８】
【補正対象書類名】明細書
【補正対象項目名】０１１８
【補正方法】変更
【補正の内容】
【０１１８】
チャタフリーカウンタが「０」に達し（ステップＳ１１２０でＹＥＳ）、ブラシが領域ＵＤ（図２０参照）にあることが確認されたら、ステップＳ１１２６でチャタフリーカウンタがリセットされ、図４２のステップＳ１１２８へ進む。ステップＳ１１２８〜Ｓ１１４２のループ処理は、図３９のステップＳ１０２６〜Ｓ１０４０までのループ処理と略同様である。但し、本ルーチンにおいては、フラッシュダウンＳＷ１２６がオンの状態が２００μｓｅｃ、続いていることが確認されたら（ステップＳ１１３８でＹＥＳ）、図４３のステップＳ１１４４へ進む。すなわち、ブラシ１２３が領域ＵＤから領域ＤＮへ移ったことが確認されたら、ステップＳ１１４４以降の処理が行われる。


【手続補正１９】
【補正対象書類名】明細書
【補正対象項目名】図２４
【補正方法】変更
【補正の内容】
【図２４】第２の減速機構を図２１の左側から示す側面図である。